(57)【要約】【課題】  発信側端末から着信側端末への発呼に対して、着信無応答である場合に、発呼側から着信側への自由度の高い情報伝達を可能とする。【解決手段】  着信側端末の電話番号とサーバにおけるネットワークアドレスの対応付け情報を格納する変換テーブル２３ｃと、着信側端末が無応答であるか否かを判定する無応答判定手段２２ｃ−１と、着信側端末が無応答であると判定された場合に、変換テーブルを着信側端末の電話番号にもとづき検索して対応するインターネットアドレスを取得するアドレス取得手段２２ｃ−２と、取得したインターネットアドレスを発信側端末に送信するアドレス送信部２２ｃ−３を備えた交換機２０ｃと、交換機からインターネットアドレスを受信すると、発呼による呼を開放して、当該インターネットアドレスへの接続呼を発呼する発信側端末とを有する無応答呼制御システム。【選択図】  図２
2006093889.tif 000002
【特許請求の範囲】
【請求項１】
発信側端末からの発呼に対して、着信側端末が無応答であることを交換機が検出すると、前記発信側端末を通信回線を介して無応答時対応サーバに接続する無応答呼制御システムであって、
前記着信側端末の電話番号と前記無応答時対応サーバにおけるネットワークアドレスの対応付け情報を格納する変換テーブルと、前記着信側端末が無応答であるか否かを判定する無応答判定手段と、前記着信側端末が無応答であると判定された場合に、前記変換テーブルを前記着信側端末の電話番号にもとづき検索して対応するネットワークアドレスを取得するアドレス取得手段と、取得したネットワークアドレスを前記発信側端末に送信するアドレス送信部を備えた前記交換機と、
前記交換機から前記ネットワークアドレスを受信すると、前記発呼における呼を開放して、当該ネットワークアドレスへの接続呼を発呼する前記発信側端末と、を有する
ことを特徴とする無応答呼制御システム。
【請求項２】
前記発信側端末が、前記交換機から前記ネットワークアドレスを受信すると、前記無応答時対応サーバに接続するかどうかを選択するための画面を出力し、入力された前記無応答時対応サーバに接続するとの選択情報にもとづいて、前記ネットワークアドレスへの接続呼を発呼する
ことを特徴とする請求項１記載の無応答呼制御システム。
【請求項３】
前記発信側端末が、前記交換機から前記ネットワークアドレスを受信すると、予め登録された前記無応答時対応サーバへの自動接続種別が、自動で前記ネットワークアドレスへの接続を行うことを示すものか否かを判定し、自動で前記ネットワークアドレスへの接続を行うことを示すものである場合、前記ネットワークアドレスへの接続呼を発呼する
ことを特徴とする請求項１又は２記載の無応答呼制御システム。
【請求項４】
前記無応答時対応サーバは、前記発信側端末からの情報を記録するためのホームページを保有し、
当該ホームページは、少なくとも前記発信側端末に掲示板画面の情報を送信するとともに、前記発信側端末から前記掲示板画面を介して送信されてきた文字情報及び／又は画像情報を前記掲示板画面の情報に更新する掲示板手段と、前記発信側端末から送信されてきた音声情報を記憶する音声記憶手段と、前記発信側端末から送信されてきた文字情報及び／又は画像情報からなる電子メールを送信するメール手段のいずれかを備える
ことを特徴とする請求項１〜３のいずれかに記載の無応答呼制御システム。
【請求項５】
発信側端末からの発呼に対して、着信側端末が無応答であるかどうかを判定し、無応答である場合に、前記発信側端末を通信回線を介して無応答時対応サーバに接続する無応答呼制御交換機であって、
前記着信側端末の電話番号と前記無応答時対応サーバにおけるネットワークアドレスの対応付け情報を格納する変換テーブルと、前記着信側端末が無応答であるか否かを判定する無応答判定手段と、前記着信側端末が無応答であると判定された場合に、前記変換テーブルを前記着信側端末の電話番号にもとづき検索して対応するネットワークアドレスを取得するアドレス取得手段と、取得したネットワークアドレスを前記発信側端末に送信するアドレス送信部と、を備えた
ことを特徴とする無応答呼制御交換機。
【請求項６】
発信側端末からの発呼に対して、着信側端末が無応答であることを交換機が検出すると、前記発信側端末を通信回線を介して無応答時対応サーバに接続する無応答呼制御方法であって、
前記発信側端末が、前記着信側端末への発呼を行い、
前記交換機が、前記着信側端末が無応答であるか否かを判定し、前記着信側端末が無応答であると判定された場合に、前記着信側端末の電話番号と前記無応答時対応サーバにおけるネットワークアドレスの対応付け情報を格納する変換テーブルを、前記着信側端末の電話番号にもとづき検索して対応するネットワークアドレスを取得し、取得したネットワークアドレスを前記発信側端末に送信し、
前記発信側端末が、前記交換機から前記ネットワークアドレスを受信すると、前記発呼による呼を開放して、当該ネットワークアドレスへの接続呼を発呼する
ことを特徴とする無応答呼制御方法。
【請求項７】
前記発信側端末が、前記交換機から前記ネットワークアドレスを受信すると、前記無応答時対応サーバに接続するかどうかを選択するための画面を出力し、入力された前記無応答時対応サーバに接続するとの選択情報にもとづいて、前記ネットワークアドレスへの接続呼を発呼する
ことを特徴とする請求項６記載の無応答呼制御方法。
【請求項８】
前記発信側端末が、前記交換機から前記ネットワークアドレスを受信すると、予め登録された前記無応答時対応サーバへの自動接続種別が、自動で前記ネットワークアドレスへの接続を行うことを示すものか否かを判定し、自動で前記ネットワークアドレスへの接続を行うことを示すものである場合、前記ネットワークアドレスへの接続呼を発呼する
ことを特徴とする請求項６又は７記載の無応答呼制御方法。
【請求項９】
前記無応答時対応サーバは、前記発信側端末からの情報を記録するためのホームページを保有し、
当該ホームページは、少なくとも前記発信側端末に掲示板画面の情報を送信するとともに、前記発信側端末から前記掲示板画面を介して送信されてきた文字情報及び／又は画像情報を前記掲示板画面の情報に更新する掲示板手段と、前記発信側端末から送信されてきた音声情報を記憶する音声記憶手段と、前記発信側端末から送信されてきた文字情報及び／又は画像情報からなる電子メールを送信するメール手段のいずれかを備える
ことを特徴とする請求項６〜８のいずれかに記載の無応答呼制御方法。
【発明の詳細な説明】
【技術分野】
【０００１】
本発明は、発信側端末から着信側端末への発呼に対して、着信無応答である場合に、発信側端末を、着信側が予め指定したネットワークアドレスにアクセスさせ、そのアドレスのサーバに接続させる無応答呼制御システム、無応答呼制御交換機、及び無応答呼制御方法関する。
【背景技術】
【０００２】
従来、電話をかけたときに、相手が不在である場合や相手の携帯電話機が通信圏外にあることなどのために自ら応答できない場合、発信側は留守番電話機能を利用して、着信側へのメッセージを残すことが可能であった。すなわち、留守番電話機能によって、着信側は、事前に用意した応答メッセージなどを発信側に伝達することができるとともに、発信側は、音声によってメッセージを留守番電話機能により記録することができ、着信側は、記録されたメッセージを後で聞くことが可能であった。
また、このような着信側の無応答時の対応に関する先行技術としては、例えば特許文献１記載の携帯側通信端末などや、特許文献２記載の携帯無線電話装置、特許文献３記載の着信通知システムなどを挙げることができる。
特許文献１に記載の携帯側通信端末によれば、着信無応答時には、着信日時を含む着信履歴データを内容とするメールを、着信者によって予め指定されたアドレス宛に送信することが可能となっている。
【０００３】
また、特許文献２に記載の携帯無線電話装置によれば、着信無応答時に、着信の有無、かけ手の電話番号、留守番電話メッセージをメールにより送信することが可能となっている。
さらに、特許文献３に記載の着信通知システムによれば、着信無応答時に、発信番号、着信時刻を付加したメールを編集して、通知先の端末装置宛に送信することが可能となっている。
これらの先行技術によれば、発信側の電話番号や着信時刻、留守番電話の内容等を電子メールにより着信側が指定したメールアドレス宛に送信することができるため、発信側は、電話連絡したことを着信側に対してメールにより明確に伝達することが可能となっている。
【０００４】
【特許文献１】特開２００３−２１９４６９号公報
【特許文献２】特開２００３−２３４８４１号公報
【特許文献３】特開２００３−３０９８７８号公報
【発明の開示】
【発明が解決しようとする課題】
【０００５】
しかしながら、これらの先行技術によれば、いずれも発信側の電話番号や着信時刻等を着信側に対してメールにより伝達することができるにすぎないことから、発信側は、着信側にとって十分な情報を伝達できない場合がある。このため、従来の技術では、結局、発信側は後で再度電話をする必要があったり、あるいは着信側から発信側へ連絡をとる必要が生じる場合が多かった。また、電話に替えて、改めて再度メールやＦＡＸを作成し、送信する必要が生じる場合もあった。
【０００６】
すなわち、このような従来方法では、着信無応答時に、発信側は、着信側に十分な情報を伝達することができず、情報伝達のために必要以上な手間を要し、非効率的である場合が多かった。
また、着信側にとっても、応答できない場合には、発信側が留守番電話などに録音を残さなければ、情報を得ることができず、適切なタイミングで情報を受け取ることができない場合もあった。このため、発信側が情報を残しやすい様々な形態を、着信側から発信側に対して提供できることが好ましい。
【０００７】
本発明は、上記の事情にかんがみなされたものであり、発信側端末から着信側端末への発呼に対して、着信無応答である場合に、発信側端末を、着信側が予め指定したネットワークアドレスにアクセスさせ、そのアドレスのサーバに接続させることで、発呼側から着信側への自由度の高い情報伝達を可能とする無応答呼制御システム、無応答呼制御交換機、及び無応答呼制御方法の提供を目的とする。
【課題を解決するための手段】
【０００８】
上記目的を達成するため、本発明の無応答呼制御システムは、発信側端末からの発呼に対して、着信側端末が無応答であることを交換機が検出すると、発信側端末を通信回線を介して無応答時対応サーバに接続する無応答呼制御システムであって、着信側端末の電話番号と無応答時対応サーバにおけるネットワークアドレスの対応付け情報を格納する変換テーブルと、着信側端末が無応答であるか否かを判定する無応答判定手段と、着信側端末が無応答であると判定された場合に、変換テーブルを着信側端末の電話番号にもとづき検索して対応するネットワークアドレスを取得するアドレス取得手段と、取得したネットワークアドレスを発信側端末に送信するアドレス送信部を備えた交換機と、交換機からネットワークアドレスを受信すると、発呼における呼を開放して、当該ネットワークアドレスへの接続呼を発呼する発信側端末とを有する構成としてある。
【０００９】
無応答呼制御システムをこのような構成にすれば、着信無応答時に、発信側の端末を、着信側が予め指定したネットワークアドレスにアクセスさせて、Ｗｅｂサーバなどの無応答時対応サーバに接続させることができる。
このため、発信側から着信側への自由度の高い情報伝達を可能とすることができる。また、着信側から発信側に対し、多様な情報を伝達することも可能となる。
【００１０】
なお、発信側端末及び着信側端末とは、発信又は着信専用の端末を意味するものではなく、発信が行われる場合における端末を発信側端末と、着信が行われる場合における端末を着信側端末と称している。また、ネットワークアドレスとしては、ＩＰ（Ｉｎｔｅｒｎｅｔ  Ｐｒｏｔｏｃｏｌ）アドレスや、ＵＲＬ（Ｕｎｉｆｏｒｍ  Ｒｅｓｏｕｒｃｅ  Ｌｏｃａｔｏｒ）等を用いることもできる。
【００１１】
また、本発明の無応答呼制御システムは、発信側端末が、交換機からネットワークアドレスを受信すると、無応答時対応サーバに接続するかどうかを選択するための画面を出力し、入力された無応答時対応サーバに接続するとの選択情報にもとづいて、ネットワークアドレスへの接続呼を発呼する構成としてある。
【００１２】
無応答呼制御システムをこのような構成にすれば、着信無応答時に、発信側の端末を、着信側が予め指定したネットワークアドレスへ接続させるにあたり、発信側の選択にもとづいて、そのアドレスへの接続を可能とすることができる。
このため、発信側で、着信側が指定するＷｅｂサーバなどに接続をする必要がないと考える場合には、不必要な接続を行わないことが可能となる。
【００１３】
また、本発明の無応答呼制御システムは、発信側端末が、交換機からネットワークアドレスを受信すると、予め登録された無応答時対応サーバへの自動接続種別が、自動でネットワークアドレスへの接続を行うことを示すものか否かを判定し、自動でネットワークアドレスへの接続を行うことを示すものである場合、ネットワークアドレスへの接続呼を発呼する構成としてある。
【００１４】
無応答呼制御システムをこのような構成にすれば、着信無応答時に、発信側が常に、着信側が予め指定したネットワークアドレスへの接続を希望する場合には、この旨を示す自動接続種別を発信側端末に登録しておくことで、自動的にＷｅｂサーバなどへの接続を可能とすることができる。
また、自動接続を希望しない旨の自動接続種別を発信側端末に登録しておくことで、上述したようなＷｅｂサーバなどへの接続を行うかどうかを選択するための画面を表示して、接続するかどうかを選択可能とすることもできる。
これによって、例えば発信側がインターネットの利用を固定料金制で契約しているような場合には、発信側は、着信無応答時に常に自動的にＷｅｂサーバなどに接続するようにしておくことが可能となる。
【００１５】
また、本発明の無応答呼制御システムは、無応答時対応サーバは、発信側端末からの情報を記録するためのホームページを保有し、当該ホームページは、少なくとも発信側端末に掲示板画面の情報を送信するとともに、発信側端末から掲示板画面を介して送信されてきた文字情報及び／又は画像情報を掲示板画面の情報に更新する掲示板手段と、発信側端末から送信されてきた音声情報を記憶する音声記憶手段と、発信側端末から送信されてきた文字情報及び／又は画像情報からなる電子メールを送信するメール手段のいずれかを備える構成としてある。
【００１６】
無応答呼制御システムをこのような構成にすれば、発信側は、着信側が応答できない場合には、着信側が指定したＷｅｂサーバなどにおいて、種々の方法により伝達すべき情報を記録しておくことができる。
このため、着信側は、Ｗｅｂサーバなどにおいて、発信側に対して望む情報の提供形態を自由に設定しておくことができ、例えば掲示板への書き込みや音声記録等を発信側に行ってもらうようにしておくことができる。
また、これによって、発信側は、着信側が望む自由度の高い形態で情報伝達を行うことができるため、再度かけ直したり、メールやＦＡＸなどを別途行う必要がなく、効率的に情報伝達を行うことが可能となる。
【００１７】
また、本発明の無応答呼制御交換機は、発信側端末からの発呼に対して、着信側端末が無応答であるかどうかを判定し、無応答である場合に、発信側端末を通信回線を介して無応答時対応サーバに接続する無応答呼制御交換機であって、着信側端末の電話番号と無応答時対応サーバにおけるネットワークアドレスの対応付け情報を格納する変換テーブルと、着信側端末が無応答であるか否かを判定する無応答判定手段と、着信側端末が無応答であると判定された場合に、変換テーブルを着信側端末の電話番号にもとづき検索して対応するネットワークアドレスを取得するアドレス取得手段と、取得したネットワークアドレスを発信側端末に送信するアドレス送信部とを備えた構成としてある。
【００１８】
無応答呼制御交換機をこのような構成にすれば、着信無応答時に、発信側端末を、予め着信側が指定した、着信側が提供を望む種々の情報を記録可能なＷｅｂサーバなどに接続することができる。
このため、着信側は、電話にでることができない場合でも、多様な情報を得ることができ、発信側は、着信側が望む適切な形態で情報を残すことができるため、情報伝達のための不必要な手間を排除することが可能となる。
【００１９】
また、本発明の無応答呼制御方法は、発信側端末からの発呼に対して、着信側端末が無応答であることを交換機が検出すると、発信側端末を通信回線を介して無応答時対応サーバに接続する無応答呼制御方法であって、発信側端末が、着信側端末への発呼を行い、交換機が、着信側端末が無応答であるか否かを判定し、着信側端末が無応答であると判定された場合に、着信側端末の電話番号と無応答時対応サーバにおけるネットワークアドレスの対応付け情報を格納する変換テーブルを、着信側端末の電話番号にもとづき検索して対応するネットワークアドレスを取得し、取得したネットワークアドレスを発信側端末に送信し、発信側端末が、交換機からネットワークアドレスを受信すると、発呼による呼を開放して、当該ネットワークアドレスへの接続呼を発呼する方法としてある。
【００２０】
また、本発明の無応答呼制御方法は、発信側端末が、交換機からネットワークアドレスを受信すると、無応答時対応サーバに接続するかどうかを選択するための画面を出力し、入力された無応答時対応サーバに接続するとの選択情報にもとづいて、ネットワークアドレスへの接続呼を発呼する方法としてある。
【００２１】
また、本発明の無応答呼制御方法は、発信側端末が、交換機からネットワークアドレスを受信すると、予め登録された無応答時対応サーバへの自動接続種別が、自動でネットワークアドレスへの接続を行うことを示すものか否かを判定し、自動でネットワークアドレスへの接続を行うことを示すものである場合、ネットワークアドレスへの接続呼を発呼する方法としてある。
【００２２】
また、本発明の無応答呼制御方法は、無応答時対応サーバは、発信側端末からの情報を記録するためのホームページを保有し、当該ホームページは、少なくとも発信側端末に掲示板画面の情報を送信するとともに、発信側端末から掲示板画面を介して送信されてきた文字情報及び／又は画像情報を掲示板画面の情報に更新する掲示板手段と、発信側端末から送信されてきた音声情報を記憶する音声記憶手段と、発信側端末から送信されてきた文字情報及び／又は画像情報からなる電子メールを送信するメール手段のいずれかを備える方法としてある。
【００２３】
無応答呼制御方法をこれらのような方法にすれば、着信無応答時に、発信側の端末を、着信側が予め指定したネットワークアドレスに再接続させて、Ｗｅｂサーバなどに接続させることができ、発信側から着信側へ自由度の高い情報伝達を行うことが可能となる。
【発明の効果】
【００２４】
本発明によれば、着信無応答時に、発信側端末を、着信側が予め指定したネットワークアドレスにアクセスさせ、そのアドレスのＷｅｂサーバなどに接続させることで、発信側から着信側への自由度の高い情報伝達を可能とすることができる。
【発明を実施するための最良の形態】
【００２５】
以下、本発明に係る無応答呼制御システムの好ましい実施形態について、図面を参照しつつ説明する。
なお、以下の実施形態に示す本発明の無応答呼制御システムは、プログラムに制御されたコンピュータにより動作させるようにすることもできる。コンピュータのＣＰＵは、プログラムにもとづいてコンピュータの各構成要素に指令を送り、蓄積プロクラム制御式交換機の動作に必要となる所定の処理、例えば、無応答判定処理、アドレス取得処理、アドレス送信処理等を行わせる。このように、本発明の無応答呼制御システムにおける各処理，動作は、プログラムとコンピュータとが協働した具体的手段により実現できるものである。
【００２６】
プログラムは予めＲＯＭ，ＲＡＭ等の記録媒体に格納され、コンピュータに実装された記録媒体から当該コンピュータにプログラムを読み込ませて実行されるが、例えば通信回線を介してコンピュータに読み込ませることもできる。
また、プログラムを格納する記録媒体は、例えば半導体メモリ，磁気ディスク，光ディスク、その他任意のコンピュータで読取り可能な任意の記録手段により構成できる。
【００２７】
［第一実施形態］
まず、本発明の第一実施形態の構成について、図１及び図２を参照して説明する。図１は、本実施形態の無応答呼制御システムの構成を示すブロック図である。図２は、同システムにおける交換機の構成を示すブロック図である。
図１に示すように、本実施形態の無応答呼制御システムは、発信側携帯端末１０ａ，着信側携帯端末１０ｂ，交換機２０，無線基地局３０，交換網４０，Ｗｅｂサーバ５０，インターネット６０を有している。
【００２８】
発信側携帯端末１０ａは、発信側が使用する携帯電話機やＰＨＳなどの発信側端末であり、着信側携帯端末１０ｂは、着信側が使用する携帯電話機やＰＨＳなどの着信側端末である。
本実施形態では、発信側端末として、携帯端末を用いているが、ホームページを参照可能なディスプレイを備えた電話機であれば、非携帯型の端末を用いることもできる。また、本実施形態では、着信側端末としても、携帯端末を用いているが、非携帯型の端末を用いることもできる。
発信側携帯端末１０ａは、交換機２０からインターネットアドレスを受信すると、最初の呼を開放して、受信したアドレスへの接続呼を発呼する。
【００２９】
また、この際、発信側携帯端末１０ａは、インターネットアドレスの受信時に、Ｗｅｂサーバに接続するかどうかを選択するための画面を表示するようにすることもできる。そして、Ｗｅｂサーバに接続するとの選択情報を入力した場合に、上記インターネットアドレスへの接続呼を発呼するようにすることもできる。
このようにすれば、発信側がインターネットの利用を従量制で契約しているような場合であって、Ｗｅｂサーバへの接続が特に必要でない場合には、これを取りやめることが可能となる。
【００３０】
交換機２０は、発信側携帯端末１０ａからの発呼にもとづいて、発信側携帯端末１０ａを着信側携帯端末１０ｂへ接続する。図１では、交換機２０を一台しか示していないが、発信側携帯端末１０ａと着信側携帯端末１０ｂ間に複数の交換機２０が存在する場合、交換機２０は、これらを含むものとして用いている。
図２は、発信側携帯端末１０ａと着信側携帯端末１０ｂ間に交換機２０として、発信側交換機２０ａ，中継交換機２０ｂ，着信側交換機２０ｃが存在する場合を示している。
【００３１】
同図において、着信側交換機２０ｃは、スイッチ２１ｃ，アドレス通知部２２ｃ，アドレス変換テーブル２３ｃを備えている。
スイッチ２１ｃは、中継交換機２０ｂ及び無線基地局３０等への通信回線を収容接続するとともに、これらを相互に接続する。
アドレス通知部２２ｃは、着信無応答時に、予め登録されたインターネットアドレスを発信側携帯端末１０ａに通知する。このアドレス通知部２２ｃは、図２に示すように無応答判定部２２ｃ−１，アドレス取得部２２ｃ−２，アドレス送信部２２ｃ−３を有している。
【００３２】
無応答判定部２２ｃ−１は、着信側携帯端末１０ｂが無応答であるかどうかを判定する。この無応答の判定は、従来公知の方法を用いることができ、例えば所定の時間以内に着信側携帯端末１０ｂからの応答がない場合に、無応答と判定する方法や、着信側携帯端末１０ｂが通信可能圏外にある場合又は電源が入っていない状態である場合に、無応答と判定する方法等とすることができる。無応答判定部２２ｃ−１は、無応答と判定した場合、この判定結果をアドレス取得部２２ｃ−２に出力する。
【００３３】
アドレス取得部２２ｃ−２は、無応答判定部２２ｃ−１から無応答の判定結果を入力すると、着信先電話番号をキーとして、アドレス変換テーブル２３ｃを検索し、当該着信側により予め登録されたインターネットアドレスを取得して、アドレス送信部２２ｃ−３に出力する。
アドレス送信部２２ｃ−３は、入力したインターネットアドレスを、スイッチ２１ｃを経由して、発信側携帯端末１０ａに送信する。
アドレス通知部２２ｃにおける上記各構成は、プログラム制御型で構成することができ、上記各処理の実行手順を記載したプログラムをメモリ上に展開して、ＣＰＵにより実行させるものとすることができる。また、アドレス通知部２２ｃにおける各構成を回路により構成してもよい。
【００３４】
アドレス変換テーブル２３ｃは、着信先電話番号とＷｅｂサーバ５０におけるインターネットアドレス等を対応付けて記憶する。このアドレス変換テーブル２３ｃは、着信側交換機２０ｃに接続した外部記憶装置上に設けるようにすることもできる。
なお、図２には、本発明の説明に必要な構成を示しているが、交換機２０に、従来公知のその他の構成を追加することも勿論可能である。また、図２では、着信側交換機２０ｃにアドレス通知部及びアドレス変換テーブルを保有させる構成としたが、これらを発信側交換機２０ａ又は中継交換機２０ｂに保有させて、上記各処理を実行させることもできる。
【００３５】
Ｗｅｂサーバ５０は、発信側携帯端末１０ａからの接続を受けるインターネット６０上のサーバであり、着信無応答時にホームページ情報を発信側携帯端末１０ａに送信することで、発信側に対応する無応答時対応サーバである。
このホームページは、着信側ごとに任意のメニューサービスを構築可能なものとすることが好ましい。例えば、発信側携帯端末１０ａから送信されてきた文章情報や画像情報等を保存することのできる掲示板手段を保有可能とさせたり、発信側携帯端末１０ａから受信した音声情報等を登録させる音声記憶手段を保有可能とさせることが好ましい。また、発信側携帯端末１０ａの文字情報や画像情報等からなるメールを作成して、これを着信側指定のメールアドレスへ送信するメール手段を保有可能とさせることも好ましい。
【００３６】
Ｗｅｂサーバ５０をこのようにすることによって、着信側は、自分が利用しやすい形態での情報提供を発信側に促すことができ、電話に応答できない場合にも、適切に情報提供を受けることが可能となる。
また、発信側にとっても、着信側が望む自由度の高い形態で情報を残すことができ、再度連絡する必要性を低減して、情報伝達の効率を向上させることが可能となる。
【００３７】
次に、本実施形態の無応答呼制御システムにおける処理手順について、図３を参照して説明する。
同図は、本実施形態の無応答呼制御システムにおける処理手順を示す動作手順図である。
まず、発信側携帯端末１０ａが、着信側携帯端末１０ｂへ発呼すると（ステップ１０）、交換機２０は、着信側携帯端末１０ｂの呼び出しを行う（ステップ１１）。このとき、交換機２０は、着信側携帯端末１０ｂが無応答であるか否かを判定する（ステップ１２）。
【００３８】
着信側携帯端末１０ｂが無応答である場合（ステップ１２のＹｅｓ）、交換機２０は、予め着信側により指定されたインターネットアドレスを取得して（ステップ１３）、このインターネットアドレスを発信側携帯端末１０ａに送信する（ステップ１４）。
着信側携帯端末１０ｂからの応答があった場合は（ステップ１２のＮｏ）、交換機２０は、発信側携帯端末１０ａと着信側携帯端末１０ｂを接続して、発信側と着信側との通話を可能とし、接続終了信号を入力すると接続を解除して処理を終了する。
【００３９】
発信側携帯端末１０ａは、発呼に対して、交換機２０からインターネットアドレスを受信すると、このインターネットアドレスに対応するＷｅｂサーバ５０に接続するかどうかを発信側に選択させるための接続選択画面を、発信側携帯端末１０ａにおけるディスプレイなどに表示する（ステップ１５）。
【００４０】
次に、発信側携帯端末１０ａは、Ｗｅｂサーバ５０に接続するとの選択情報を入力すると（ステップ１６のＹｅｓ）、受信したインターネットアドレスへの接続呼を発呼する（ステップ１７）。交換機２０は、発信側携帯端末１０ａを、インターネット６０を介してＷｅｂサーバ５０へ接続する（ステップ１８）。
発信側携帯端末１０ａは、Ｗｅｂサーバ５０に接続しないとの選択情報を入力した場合は（ステップ１６のＮｏ）、Ｗｅｂサーバ５０へ接続することなく、着信側携帯端末１０ｂが無応答であることを示すメッセージ等を表示した後に、処理を終了する。
【００４１】
Ｗｅｂサーバ５０は、発信側携帯端末１０ａを接続すると、着信無応答時に発信側に提供するホームページ情報を発信側携帯端末１０ａに送信する（ステップ１９）。
発信側携帯端末１０ａは、受信したホームページ情報を表示し、このホームページが提供する各種情報記録手段を用いて入力された種々の情報をＷｅｂサーバ５０に送信して（ステップ２０）、着信側に伝達することが可能となる。また、発信側は、このホームページの情報を参照することで、着信側が応答できない場合に、発信側に伝達したい情報を伝達することが可能となる。
【００４２】
ホームページにより提供される情報記録手段としては、上述したように、例えば掲示板などの文字情報や画像情報等の書き込みを行う掲示板手段や、発信側携帯端末１０ａから入力された音声情報等を保存する音声記録手段、メールの作成、送信等を行うメール手段等を用いることができる。その他、発信側の映像情報の記録を行う手段など、情報記録手段は、着信側により任意に定義、構築可能とすることが好ましい。
Ｗｅｂサーバ５０は、受信した各種情報を記憶する（ステップ２１）。これによって、着信側は自分が望む種々の形態で、発信側からの情報を得ることが可能となる。
【００４３】
以上説明したように、本実施形態の無応答呼制御システムによれば、着信無応答時に、発信側端末を、着信側が予め指定したインターネットアドレスへ接続させることができる。また、この際、発信側の選択にもとづいて、そのアドレスへの接続を可能とすることができる。
このため、発信側から着信側への自由度の高い情報伝達を可能とすることができる。また、発信側で、着信側が指定するＷｅｂサーバへの接続をする必要がないと考える場合には、不必要な接続を行わないことが可能となる。
【００４４】
［第二実施形態］
次に、本発明の第二実施形態について、図４を参照して説明する。同図は、本実施形態の無応答呼制御システムにおける処理手順を示す動作手順図である。
本実施形態は、発信側携帯端末１０ａにＷｅｂサーバ５０への自動接続を行うかどうかの判定を行う点で第一実施形態と異なる。その他の点については、第一実施形態と同様であり、本実施形態のブロック図も図１及び図２と同様のものを用いることができる。
まず、発信側携帯端末１０ａが着信側携帯端末１０ｂへ発呼する動作から、交換機２０がインターネットアドレスを発信側携帯端末１０ａに送信する動作（ステップ３０〜ステップ３４）については、第一実施形態における動作（ステップ１０〜ステップ１４）と同様である。
【００４５】
次に、発信側携帯端末１０ａは、発信側携帯端末１０ａにおいて予め発信側により登録された自動接続種別を参照して、これが自動接続を示すものであるか否かを判定する（ステップ３５）。この自動接続種別は、フラグなどを用いて実現することでき、例えば「０」を自動接続する、「１」を自動接続しないと設定することができる。また、この自動接続種別を発信側が任意に変更できるように、発信側携帯端末１０ａにおいて、自動接続種別の変更画面を設けて、自動接続種別をいずれにも変更可能とすることが望ましい。
【００４６】
そして、自動接続種別が、自動接続を示すものである場合は（ステップ３６のＹｅｓ）、第一実施形態におけるステップ１７〜ステップ２１における動作と同様の動作（ステップ３７〜ステップ４１）を実行する。
これによって、発信側携帯端末１０ａは、着信無応答の場合、自動的に着信側により指定されたＷｅｂサーバ５０に接続することができ、各種情報を送信することが可能となる。
【００４７】
一方、自動接続種別が、自動接続を示すものでない場合は（ステップ３６のＮｏ）、第一実施形態におけるステップ１５からステップ２１までの動作を実行する。すなわち、発信側携帯端末１０ａは、Ｗｅｂサーバ５０への接続を行うかどうかを選択する画面を表示して、入力された選択情報にもとづきＷｅｂサーバ５０への接続を行うかどうかを判断することができる。
【００４８】
無応答呼制御システムを本実施形態のようにすることで、着信無応答時に、発信側が常に着信側が予め指定したインターネットアドレスへの接続を希望する場合には、この旨を示す自動接続種別を発信側端末に登録しておくことで、自動的にＷｅｂサーバへの接続を可能とすることができる。
また、自動接続種別に自動接続を希望しない旨を登録しておくことで、上述したようなＷｅｂサーバへの接続を行うかどうかを選択するための画面を表示して、選択可能とすることもできる。
【００４９】
なお、本発明は以上の実施形態に限定されるものではなく、本発明の範囲内において、種々の変更実施が可能であることは言うまでもない。
例えば、着信無応答時に、発信側携帯端末１０ａを、Ｗｅｂサーバではなく他のサーバ、例えばデータベースサーバなどに接続させ、発信側携帯端末１０ａから送信された所定のデータを当該データベースサーバなどに記憶させる構成とするなど適宜変更することが可能である。
【産業上の利用可能性】
【００５０】
本発明の無応答呼制御システムは、新たな留守番電話システムとして、電話会社によるサービスなどにおいて用いることが可能である。
【図面の簡単な説明】
【００５１】
【図１】本発明の第一実施形態の無応答呼制御システムの構成を示すブロック図である。
【図２】本発明の第一実施形態の無応答呼制御システムにおける交換機の構成を示すブロック図である。
【図３】本発明の第一実施形態の無応答呼制御システムにおける処理手順を示す動作手順図である。
【図４】本発明の第二実施形態の無応答呼制御システムにおける処理手順を示す動作手順図である。
【符号の説明】
【００５２】
１０ａ  発信側携帯端末
１０ｂ  着信側携帯端末
２０  交換機
２０ａ  発信側交換機
２０ｂ  中継交換機
２０ｃ  着信側交換機
２１ｃ  スイッチ
２２ｃ  アドレス通知部
２２ｃ−１  無応答判定部
２２ｃ−２  アドレス取得部
２２ｃ−３  アドレス送信部
２３ｃ  アドレス変換テーブル
３０  無線基地局
４０  交換網
５０  Ｗｅｂサーバ
６０  インターネット
【図１】
2006093889.tif 000003
【図２】
2006093889.tif 000004
【図３】
2006093889.tif 000005
【図４】
2006093889.tif 000006